【手続補正書】
【提出日】平成20年12月25日(2008.12.25)
【手続補正１】
【補正対象書類名】明細書
【補正対象項目名】０１１９
【補正方法】変更
【補正の内容】
【０１１９】
【図１】図１は、本発明に従った、移動可能なライナープレートを有するモールドアセンブリの一つの例示的な実施形態の斜視図である。
【図２】図２は、本発明に従った、ギアドライブアセンブリと移動可能なライナープレートとの一つの例示的な実施形態の斜視図である。
【図３Ａ】図３Ａは、図２に図示されているような、ギアドライブアセンブリと移動可能なライナープレートとの上面図である。
【図３Ｂ】図３Ｂは、図２に図示されているような、ギアドライブアセンブリと移動可能なライナープレートとの側面図である。
【図４Ａ】図４Ａは、ライナープレートが収縮された、図１のモールドアセンブリの上面図である。
【図４Ｂ】図４Ｂは、ライナープレートが伸ばされた、図１のモールドアセンブリの上面図である。
【図５Ａ】図５Ａは、本発明に従った、ギアプレートの一つの例示的な実施形態の上面図を図示している。
【図５Ｂ】図５Ｂは、図５Ａによって図示されているギアプレートの端面図を図示している。
【図５Ｃ】図５Ｃは、本発明に従った、ギアヘッドの一つの例示的な実施形態の底面図を図示している。
【図５Ｄ】図５Ｄは、図５Ｃのギアヘッドの端面図を図示している。
【図６Ａ】図６Ａは、本発明に従った、ギアトラックの一つの例示的な実施形態の上面図である。
【図６Ｂ】図６Ｂは、図６Ａのギアトラックの側面図である。
【図６Ｃ】図６Ｃは、図６Ａのギアトラックの端面図である。
【図７】図７は、本発明に従った、ギアトラックとギアプレートとの間の関係を図示している概略図である。
【図８Ａ】図８Ａは、本発明に従った、ギアヘッドと、ギアプレートと、ギアトラックとの一つの例示的な実施形態の間の関係を図示している上面図である。
【図８Ｂ】図８Ｂは、図８Ａの例示の側面図である。
【図８Ｃ】図８Ｃは、図８Ａの例示の端面図である。
【図９Ａ】図９Ａは、本発明に従った、ギアトラック内の収縮位置にあるギアプレートの一つの例示的な実施形態を図示している上面図である。
【図９Ｂ】図９Ｂは、本発明に従った、ギアトラックから伸長位置にあるギアプレートの一つの例示的な実施形態を図示している上面図である。
【図１０Ａ】図１０Ａは、本発明に従った、ドライブユニットの一つの例示的な実施形態を図示している概略図である。
【図１０Ｂ】図１０Ｂは、図１０Ａの例示のドライブユニットの部分上面図である。
【図１１Ａ】図１１Ａは、本発明に従った、モールドアセンブリの一つの例示的な実施形態を図示している上面図である。
【図１１Ｂ】図１１Ｂは、本発明に従った、ギアドライブアセンブリの一つの例示的な実施形態を図示している概略図である。
【図１２】図１２は、本発明に従った、モールドアセンブリの一つの例示的な実施形態の一部分を図示している斜視図である。
【図１３】図１３は、本発明に従った、ギアドライブアセンブリの一つの例示的な実施形態を図示している斜視図である。
【図１４】図１４は、本発明に従った、モールドアセンブリとギアドライブアセンブリとの一つの例示的な実施形態の一部分を図示している上面図である。
【図１５Ａ】図１５Ａは、スタビライザアセンブリを使用するギアドライブアセンブリの一つの例示的な実施形態の一部分を図示している上面図である。
【図１５Ｂ】図１５Ｂは、図１５Ａのギアドライブアセンブリの断面図である。
【図１５Ｃ】図１５Ｃは、図１５Ａのギアドライブアセンブリの断面図である。
【図１６】図１６は、本発明に従った、ギアドライブアセンブリと移動可能なライナープレートとの一つの例示的な実施形態の一部分を図示している側面図である。
【図１７】図１７は、本発明に従った、制御システムを使用するモールドアセンブリの一つの例示的な実施形態を図示しているブロック図である。
【図１８Ａ】図１８Ａは、本発明に従った、スクリュードライブシステムを使用するギアドライブアセンブリの一つの例示的な実施形態の一部分を図示している上面図である。
【図１８Ｂ】図１８Ｂは、図１８Ａのギアドライブアセンブリの横断面図である。
【図１８Ｃ】図１８Ｃは、図１８Ａのギアドライブアセンブリの長手方向の断面図である。
【図１９】図１９は、本発明に従った、モールドアセンブリを使用して、コンクリートブロックを形成するためのプロセスの一つの例示的な実施形態を図示している流れ図である。
【図２０】図２０は、本発明に従った、メーソンリブロックの一実施形態の斜視図である。
【図２１Ａ】図２１Ａは、図２０のメーソンリブロックを形成するためのモールドアセンブリの例示的な実装を図示している上面図である。図２１Ｂは、図２０のメーソンリブロックを形成するためのモールドアセンブリの例示的な実装を図示している上面図である。図２１Ｃは、図２１Ａのモールドアセンブリの断面図である。図２１Ｄは、図２１Ｂのモールドアセンブリの断面図である。
【図２１Ｂ】図２１Ａは、図２０のメーソンリブロックを形成するためのモールドアセンブリの例示的な実装を図示している上面図である。図２１Ｂは、図２０のメーソンリブロックを形成するためのモールドアセンブリの例示的な実装を図示している上面図である。図２１Ｃは、図２１Ａのモールドアセンブリの断面図である。図２１Ｄは、図２１Ｂのモールドアセンブリの断面図である。
【図２１Ｃ】図２１Ａは、図２０のメーソンリブロックを形成するためのモールドアセンブリの例示的な実装を図示している上面図である。図２１Ｂは、図２０のメーソンリブロックを形成するためのモールドアセンブリの例示的な実装を図示している上面図である。図２１Ｃは、図２１Ａのモールドアセンブリの断面図である。図２１Ｄは、図２１Ｂのモールドアセンブリの断面図である。
【図２１Ｄ】図２１Ａは、図２０のメーソンリブロックを形成するためのモールドアセンブリの例示的な実装を図示している上面図である。図２１Ｂは、図２０のメーソンリブロックを形成するためのモールドアセンブリの例示的な実装を図示している上面図である。図２１Ｃは、図２１Ａのモールドアセンブリの断面図である。図２１Ｄは、図２１Ｂのモールドアセンブリの断面図である。
【図２２】図２２は、本発明に従った、メーソンリブロックの一実施形態の斜視図である。
【図２３】図２３は、本発明に従った、メーソンリブロックの一実施形態の斜視図である。
【図２４】図２４は、本発明に従った、メーソンリブロックの一実施形態の斜視図である。
【図２５】図２５は、本発明に従った、メーソンリブロックの一実施形態の斜視図である。
【図２６】図２６は、本発明に従った、メーソンリブロックの一実施形態の斜視図である。
【図２７】図２７は、本発明に従った、メーソンリブロックの一実施形態の斜視図である。
【図２８】図２８は、本発明に従った、メーソンリブロックの一実施形態の斜視図である。
【手続補正２】
【補正対象書類名】図面
【補正対象項目名】全図
【補正方法】変更
【補正の内容】
【図１】
2008535680.tif 000001
【図２】
2008535680.tif 000002
【図３Ａ】
2008535680.tif 000003
【図３Ｂ】
2008535680.tif 000004
【図４Ａ】
2008535680.tif 000005
【図４Ｂ】
2008535680.tif 000006
【図５Ａ】
2008535680.tif 000007
【図５Ｂ】
2008535680.tif 000008
【図５Ｃ】
2008535680.tif 000009
【図５Ｄ】
2008535680.tif 000010
【図６Ａ】
2008535680.tif 000011
【図６Ｂ】
2008535680.tif 000012
【図６Ｃ】
2008535680.tif 000013
【図７】
2008535680.tif 000014
【図８Ａ】
2008535680.tif 000015
【図８Ｂ】
2008535680.tif 000016
【図８Ｃ】
2008535680.tif 000017
【図９Ａ】
2008535680.tif 000018
【図９Ｂ】
2008535680.tif 000019
【図１０Ａ】
2008535680.tif 000020
【図１０Ｂ】
2008535680.tif 000021
【図１１Ａ】
2008535680.tif 000022
【図１１Ｂ】
2008535680.tif 000023
【図１２】
2008535680.tif 000024
【図１３】
2008535680.tif 000025
【図１４】
2008535680.tif 000026
【図１５Ａ】
2008535680.tif 000027
【図１５Ｂ】
2008535680.tif 000028
【図１５Ｃ】
2008535680.tif 000029
【図１６】
2008535680.tif 000030
【図１７】
2008535680.tif 000031
【図１８Ａ】
2008535680.tif 000032
【図１８Ｂ】
2008535680.tif 000033
【図１８Ｃ】
2008535680.tif 000034
【図１９】
2008535680.tif 000035
【図２０】
2008535680.tif 000036
【図２１Ａ】
2008535680.tif 000037
【図２１Ｂ】
2008535680.tif 000038
【図２１Ｃ】
2008535680.tif 000039
【図２１Ｄ】
2008535680.tif 000040
【図２２】
2008535680.tif 000041
【図２３】
2008535680.tif 000042
【図２４】
2008535680.tif 000043
【図２５】
2008535680.tif 000044
【図２６】
2008535680.tif 000045
【図２７】
2008535680.tif 000046
【図２８】
2008535680.tif 000047